(57)【要約】【課題】操作部をハウジングから容易に取り外すことが可能な押ボタンスイッチを提供すること。【解決手段】押ボタンスイッチが、箱状のハウジングと、ハウジングに接続された操作部と、ハウジングの内部に配置されている操作部の端部を係止して、ハウジングと操作部とを接続する一対の接続部材と、一対の接続部材の少なくとも一方を一対の接続部材が相互に接近する方向に付勢する付勢部と、一対の接続部材で操作部を係止しているときに相互に接触する接触面をそれぞれ有し治具を接触面間に挿入することで一対の接続部材によるハウジングと操作部との接続を解除可能な一対の解除部材とを備える。第２面には、治具を挿入可能な解除孔が設けられ、この解除孔は、各解除部材の一部がハウジングの外部に露出するように配置されている。【選択図】図１０
2020095826.tif 000002
【特許請求の範囲】
【請求項１】
操作孔が設けられた第１面と、前記第１面に交差する第１方向に沿って前記第１面と並んで配置されている第２面とを有する箱状のハウジングと、
前記ハウジングの外部から前記操作孔を介して前記ハウジングの内部まで前記第１方向に沿って延びて前記ハウジングに接続されていると共に、前記第１方向に沿って移動可能な可動部を有する操作部と、
前記ハウジングの内部に前記第１方向に交差する第２方向に移動可能に設けられ、前記ハウジングの内部に配置されている前記操作部の前記第１方向の端部を前記第２方向から係止して、前記ハウジングと前記操作部とを接続する一対の接続部材と、
前記ハウジングの内部に設けられ、前記一対の接続部材の少なくとも一方を前記第２方向でかつ前記一対の接続部材が相互に接近する方向に付勢する付勢部と、
前記ハウジングの内部に設けられ、前記一対の接続部材の各々から前記第２面に向かってそれぞれ延びかつ前記一対の接続部材を介して前記付勢部により前記第２方向でかつ相互に接近する方向に付勢されていると共に、前記一対の接続部材で前記操作部を係止しているときに前記第２方向において相互に接触する接触面をそれぞれ有し、治具を前記接触面間に挿入して、前記一対の接続部材の各々を前記付勢部の付勢力に抗して前記第２方向でかつ相互に離れる方向に移動させることで、前記一対の接続部材による前記ハウジングと前記操作部との接続を解除可能な一対の解除部材と
を備え、
前記第２面には、前記治具を挿入可能な解除孔が設けられ、
前記解除孔は、前記一対の解除部材の各々のその延在方向における前記第２面に近い方の端部が前記ハウジングの外部に露出して、前記治具を前記接触面間に挿入可能に配置されている、押ボタンスイッチ。
【請求項２】
前記操作部が、
前記ハウジングの内部に配置された係止受部を有し、
前記一対の接続部材の各々が、
前記第２方向でかつ相互に接近する方向に延びると共に、前記係止受部を介して前記操作部を前記ハウジングに対して前記第１方向に係止可能な突出部をそれぞれ有し、
前記突出部が、
前記第１面に対向しかつ前記第２方向沿いを前記操作部に接近するに従って前記第１方向において前記第１面から離れるように傾斜する第１傾斜面を有する、請求項１の押ボタンスイッチ。
【請求項３】
前記ハウジングが、前記操作孔まわりに前記第１方向に沿って設けられて前記操作部を前記第１方向に案内する案内壁部を有している、請求項１または２の押ボタンスイッチ。
【請求項４】
前記付勢部が、前記一対の接続部材の各々を前記第２方向でかつ前記一対の接続部材が相互に接近する方向にそれぞれ付勢する一対の付勢部材で構成され、
前記一対の付勢部材が、前記第２方向において、前記一対の接続部材を挟むように配置されている、請求項１から３のいずれか１つの押ボタンスイッチ。
【請求項５】
前記解除孔が、前記第２面の中央部近傍に配置されている、請求項１から４のいずれか１つの押ボタンスイッチ。
【請求項６】
前記一対の解除部材の各々が、
一対の板面が前記第１方向および前記第２方向に交差する第３方向に沿って配置されていると共に、前記一対の板面の一方が前記接触面を構成する板状の第１板部材と、
前記第１板部材の前記第３方向の一端部に設けられ前記第２方向に延びる板状の第２板部材と
を有し、
前記一対の解除部材の各々の前記接触面が相互に接触したときに、前記一対の解除部材の一方の前記第２板部材の板面が、前記一対の解除部材の他方の前記第１板部材の前記第３方向の他端部に接触するように配置されて、前記第３方向でかつ前記第２板部材が相互に接近する方向における前記第１板部材の移動を規制する、請求項１から５のいずれか１つの押ボタンスイッチ。
【請求項７】
前記一対の解除部材の一方が、前記接触面に、前記第２方向でかつ前記一対の解除部材の他方の前記接触面に向かって延びる第１突起部を有し、
前記一対の解除部材の他方が、前記接触面に、前記一対の解除部材の一方に接触したときに前記第１突起部を収容可能な第１凹部を有している、請求項１から６のいずれか１つの押ボタンスイッチ。
【請求項８】
前記一対の解除部材の他方が、前記接触面に設けられ、前記第２方向でかつ前記一対の解除部材の一方の前記接触面に向かって延びる第２突起部を有し、
前記一対の解除部材の一方が、前記接触面に設けられ、前記一対の解除部材の他方に接触したときに前記第２突起部を収容可能な第２凹部を有する、請求項７の押ボタンスイッチ。
【請求項９】
前記一対の解除部材の一方の前記接触面には、前記第１突起部および前記第２凹部が前記第１方向に沿って配置され、
前記一対の解除部材の他方の前記接触面には、前記第２突起部および前記第１凹部が前記第１方向に沿って配置され、
前記第１突起部および前記第２突起部の各々が、前記第２面に対向しかつ前記第２方向沿いを前記操作部に接近するに従って前記第１方向において前記第２面から離れるように傾斜する第２傾斜面をそれぞれ有している、請求項８の押ボタンスイッチ。
【発明の詳細な説明】
【技術分野】
【０００１】
本開示は、押ボタンスイッチに関する。
【背景技術】
【０００２】
特許文献１には、上面が開放された絶縁材よりなる箱状のボックスと、ボックスの上面開放部に配置されて上下動可能にボックスに保持されたボタンとを備える押ボタンスイッチが開示されている。前記押ボタンスイッチでは、ボタンが、ボックスの内部に位置する端部に相互に反対方向に突出する一対の係止片を有し、ボックスが、その側壁に設けられ一対の係止片を係止可能な窓を有している。
【先行技術文献】
【特許文献】
【０００３】
【特許文献１】特開２００４−２４７１８８号公報
【発明の概要】
【発明が解決しようとする課題】
【０００４】
前記押ボタンスイッチでは、ボタンの一対の係止片をボックスの窓に係止することによりボタンを抜け止めしているため、ボックスに保持された状態のボタンをボックスから容易に取り外すことができない場合がある。
【０００５】
本開示は、操作部をハウジングから容易に取り外すことが可能な押ボタンスイッチを提供することを課題とする。
【課題を解決するための手段】
【０００６】
本開示の一例の押ボタンスイッチは、
操作孔が設けられた第１面と、前記第１面に交差する第１方向に沿って前記第１面と並んで配置されている第２面とを有する箱状のハウジングと、
前記ハウジングの外部から前記操作孔を介して前記ハウジングの内部まで前記第１方向に沿って延びて前記ハウジングに接続されていると共に、前記第１方向に沿って移動可能な操作部と、
前記ハウジングの内部に前記第１方向に交差する第２方向に移動可能に設けられ、前記ハウジングの内部に配置されている前記操作部の前記第１方向の端部を前記第２方向から係止して、前記ハウジングと前記操作部とを接続する一対の接続部材と、
前記ハウジングの内部に設けられ、前記一対の接続部材の少なくとも一方を前記第２方向でかつ前記一対の接続部材が相互に接近する方向に付勢する付勢部と、
前記ハウジングの内部に設けられ、前記一対の接続部材の各々から前記第２面に向かってそれぞれ延びかつ前記一対の接続部材を介して前記一対の付勢部により前記第２方向でかつ相互に接近する方向に付勢されていると共に、前記一対の接続部材で前記操作部を係止しているときに前記第２方向において相互に接触する接触面をそれぞれ有し、治具を前記接触面間に挿入して、前記一対の接続部材の各々を前記付勢部の付勢力に抗して前記第２方向でかつ相互に離れる方向に移動させることで、前記一対の接続部材による前記ハウジングと前記操作部との接続を解除可能な一対の解除部材と
を備え、
前記第２面には、前記治具を挿入可能な解除孔が設けられ、
前記解除孔は、前記一対の解除部材の各々のその延在方向における前記第２面に近い方の端部が前記ハウジングの外部に露出して、前記治具を前記接触面間に挿入可能に配置されている。
【発明の効果】
【０００７】
前記押ボタンスイッチによれば、ハウジングの内部に配置されている操作部の第１方向の端部を第２方向から係止して、ハウジングと操作部とを接続する一対の接続部材と、一対の接続部材の一方を第２方向でかつ一対の接続部材が相互に接近する方向に付勢する付勢部と、一対の接続部材の各々から第２面に向かってそれぞれ延びかつ一対の接続部材を介して付勢部により第２方向でかつ相互に接近する方向に付勢されていると共に、一対の接続部材が操作部を係止しているときに第２方向において相互に接触する接触面をそれぞれ有し、治具を接触面間に挿入して、一対の接続部材の各々を付勢部の付勢力に抗して第２方向でかつ相互に離れる方向に移動させることで、一対の接続部材によるハウジングと操作部との接続を解除可能な一対の解除部材とを備えている。このような構成により、一対の解除部材の接触面間にマイナスドライバなどの治具を挿入するだけで、ハウジングと操作部との間の接続を解除することができるので、操作部をハウジングから容易に取り外すことが可能な押ボタンスイッチを実現できる。
【図面の簡単な説明】
【０００８】
【図１】本開示の一実施形態の押ボタンスイッチを示す斜視図。
【図２】図１のII-II線に沿った断面図。
【図３】図１の押ボタンスイッチの第２面を示す平面図。
【図４】図３のIV-IV線に沿った断面図。
【図５】図１の押ボタンスイッチの一対の接続部材および一対の解除部材を示す斜視図。
【図６】図１の押ボタンスイッチの一対の接続部材の一方の接続部材および一対の解除部材の一方の解除部材を示す斜視図。
【図７】図１の押ボタンスイッチの一対の接続部材の他方の接続部材および一対の解除部材の他方の解除部材を示す斜視図。
【図８】図１の押ボタンスイッチの一対の接続部材および一対の解除部材を示す平面図。
【図９】図１の押ボタンスイッチの操作部をハウジングから取り外す動作を説明するための第１の図。
【図１０】図１の押ボタンスイッチの操作部をハウジングから取り外す動作を説明するための第２の図。
【発明を実施するための形態】
【０００９】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１０】
本開示の一実施形態の押ボタンスイッチ１は、図１に示すように、箱状のハウジング１０と、このハウジング１０に接続された操作部２０とを備えている。
【００１１】
図２に示すように、ハウジング１０は、操作孔１１が設けられた第１面１０１と、第１面１０１に交差（例えば、直交）する第１方向Ｚに沿って第１面１０１と並んで配置されている第２面１０２とを有している。また、操作部２０は、ハウジング１０の外部から操作孔１１を介してハウジング１０の内部まで第１方向Ｚに沿って延びてハウジング１０に接続されている。
【００１２】
なお、以下の記載において、第１方向Ｚに直交する方向でかつ第１面１０１の長手方向に平行な方向を第２方向Ｙとし、第１方向Ｚに直交する方向でかつ第１面１０１の短手方向に平行な方向を第３方向Ｘとする。
【００１３】
また、図２に示すように、ハウジング１０の内部には、ハウジング１０と操作部２０とを接続するための一対の接続部材３１、３２と、一対の接続部材３１、３２を付勢する付勢部４０と、ハウジング１０と操作部２０との接続を解除するための一対の解除部材５１、５２と、図示しない接点機構部とが設けられている。なお、接点機構部は、後述する操作部２０の可動部２２の第１方向Ｚ沿いの移動により、オンオフするように構成されている。
【００１４】
ハウジング１０は、図１に示すように、一例として、略直方体を有している。すなわち、第１面１０１および第２面１０２は、略矩形状を有している。操作孔１１は、第１面１０１の略中央部に設けられている。
【００１５】
また、図３に示すように、第２面１０２には、ハウジング１０の内部にそれぞれ接続された複数対の第１貫通孔１２および第２貫通孔１３と、第２面１０２の中央部近傍に配置された解除孔１４とが設けられている。各第１貫通孔１２は、図示しない電線の導体部が挿抜可能に構成され、各第２貫通孔１３は、第１貫通孔１２に隣接しかつ一例としてマイナスドライバなどの長尺の治具１００（図９および図１０参照）が挿抜可能に構成されている。各第１貫通孔１２から電線の導体部を挿入することで、ハウジング１０の内部に設けられた複数の端子電極部６１（図４に示す）の各々に電線の導体部を接続することができる。また、第２貫通孔１３から治具１００をハウジング１０の内部に挿入することで、各端子電極部６１と電線の導体部との接続を解除することができる。
【００１６】
また、解除孔１４は、第２貫通孔１３と同様に一例としてマイナスドライバなどの長尺の治具を挿入可能に構成されている。図４に示すように、この解除孔１４を介して一対の解除部材５１、５２の一部（すなわち、各解除部材５１、５２のその延在方向における第２面１０２に近い方の端部）がハウジング１０の外部に露出して、後述する各解除部材５１、５２の接触面５３、５４間に治具（例えば、長尺の治具１００）を挿入可能に構成されている。
【００１７】
また、ハウジング１０の第１面１０１の操作孔１１まわりには、第１方向Ｚに沿って設けられて操作部２０を第１方向Ｚに案内する案内壁部１５が設けられている。この実施形態では、案内壁部１５は、一例として、操作孔１１まわりの全周に亘って設けられている。
【００１８】
操作部２０は、図１に示すように、略Ｔ字状の軸部２１と、軸部２１の内部に第１方向Ｚに移動可能に配置された可動部２２とで構成されている。軸部２１のその延在方向（すなわち、第１方向Ｚ）の一端部は略直方体状で、ハウジング１０の外部に位置している。また、可動部２２は、その一部が軸部の延在方向の一端部からハウジング１０の外部に露出している。一例として、操作部２０の内部には、接点機構部のオンオフに連動して点灯／消灯する図示しないＬＥＤが配置され、このＬＥＤにより、可動部２２の軸部２１から露出している部分が照光する。
【００１９】
図２に示すように、軸部２１のその延在方向の他端部には、ハウジング１０の内部に配置された一対の湾曲板状の脚部２１１、２１２が設けられている。各脚部２１１、２１２は、軸部２１のその延在方向の他端部から第１方向Ｚに延びて、第２方向Ｙに対向している。また、各脚部２１１、２１２の先端部（すなわち、第１方向Ｚでかつ軸部２１から遠い方の端部）には、係止受部の一例としての貫通孔２３が設けられている。この貫通孔２３は、各脚部２１１、２１２を第２方向Ｙに貫通している。
【００２０】
なお、操作部２０は、ハウジング１０の内部に配置された付勢部材２０１（例えば、コイルばね）によって、第１方向Ｚでかつ可動部２２が第１面１０１から離れる方向（すなわち、図２の上向き）に付勢されている。
【００２１】
また、一対の脚部２１１、２１２の一方の脚部２１１には、この脚部２１１の外面から第２方向Ｙに突出する突出部２１３が設けられている。この突出部２１３は、後述する一対の接続部材３１、３２の一方の接続部材３１に設けられた溝部３１６に収容可能に構成されている。
【００２２】
一対の接続部材３１、３２は、図２に示すように、ハウジング１０の内部に配置されている操作部２０の第１方向Ｚの端部を第２方向Ｙから係止して、ハウジング１０と操作部２０とを接続可能に構成されている。
【００２３】
詳しくは、図５に示すように、各接続部材３１、３２は、第２方向Ｙに延びる板状の第１部材３１１、３２１と、第１部材３１１、３２１のその延在方向の一端に設けられた略直方体状の第２部材３１２、３２２とを有し、ハウジング１０の内部に第１方向Ｚに交差する第２方向Ｙに移動可能に配置されている。各第１部材３１１、３２１は、第２方向Ｙに沿って直列的に配置され、その延在方向の他端部同士が対向して接触するように配置されている。すなわち、各第２部材３１２、３２２は、第２方向Ｙにおいて、間隔を空けて配置されている。また、各第１部材３１１、３２１のその延在方向の他端には、それぞれ解除部材５１、５２が相互に接触した状態で設けられている。
【００２４】
各接続部材３１、３２の第２部材３１２、３２２には、収容凹部３１３（図５では、一方のみ示す）と、突出部３１４、３２４とがそれぞれ設けられている。各収容凹部３１３は、第２方向Ｙにおいて相互に反対方向に開口して後述する付勢部４０の一対の付勢部材４１、４２をそれぞれ収容する。また、各突出部３１４、３２４は、第２方向Ｙでかつ相互に接近する方向に延びると共に、操作部２０の貫通孔２３を介して操作部２０をハウジング１０に対して第１方向Ｚに係止する。
【００２５】
各突出部３１４、３２４は、第１面１０１に対向しかつ第２方向Ｙ沿いを操作部２０に接近するに従って第１方向Ｚにおいて第１面１０１から離れるように傾斜する第１傾斜面３１５、３２５を有している。
【００２６】
また、図６に示すように、一対の接続部材３１、３２の一方の接続部材３１には、突出部３１４から第１面１０１に向かって（すなわち、図６の上向きに）第１方向Ｚに沿って延びる溝部３１６が設けられている。この溝部３１６は、操作部２０の突出部２１３が収容可能に構成され、例えば、操作部２０をハウジング１０に接続するときの位置および第１方向Ｚまわりの向きを決めることができる。
【００２７】
なお、各接続部材３１、３２の第１部材３１１、３２１は、第１面１０１における操作孔１１の位置、および、第２面１０２における解除孔１４の位置などに応じて、第２方向Ｙの長さが決定される。この実施形態では、一方の接続部材３１の第１部材３１１の方が、他方の接続部材３２の第１部材３２１よりも第２方向Ｙにおいて長くなるように構成されている。また、各接続部材３１、３２の第２部材３１２、３２２は、溝部３１６の有無を除いて、略同一の形状および大きさを有している。
【００２８】
付勢部４０は、図２に示すように、一対の付勢部材４１、４２で構成されている。この実施形態では、一例として、各付勢部材４１、４２をコイルばねで構成している。各付勢部材４１、４２は、第２方向Ｙにおいて各接続部材３１、３２とハウジング１０の壁部１０３、１０４との間に一対の接続部材３１、３２を挟むように配置されて、一対の接続部材３１、３２の各々を第２方向Ｙでかつ一対の接続部材３１、３２が相互に接近する方向にそれぞれ付勢している。
【００２９】
各解除部材５１、５２の各々は、図５に示すように、一対の接続部材３１、３２の各々から第２面１０２に向かって（すなわち、図５の第１方向Ｚ下向きに）それぞれ延びかつ一対の接続部材３１、３２の各々を介して付勢部４０により第２方向Ｙでかつ相互に接近する方向に付勢されている。また、各解除部材５１、５２の各々は、図４に示すように、一対の接続部材３１、３２で操作部２０を係止しているときに第２方向Ｙにおいて相互に接触する接触面５３、５４をそれぞれ有している。
【００３０】
また、図６〜図８に示すように、各解除部材５１、５２は、第１方向Ｚから見て、略Ｌ字形状で、板状の第１板部材５１１、５２１と、板状の第２板部材５１２、５２２とを有している。
【００３１】
各第１板部材５１１、５２１は、一対の板面が第３方向Ｘに沿って配置されていると共に、一対の板面の一方が接触面５３を構成している。各第１板部材５１１、５２１の第３方向Ｘの一端部には、各接続部材３１、３２の第１部材３１１、３２１が接続され、各第１板部材５１１、５２１の第３方向Ｘの他端部には、第２板部材５１２、５２２が接続されている。各第２板部材５１２、５２２は、一対の板面が第２方向Ｙに沿って配置されている。すなわち、各解除部材５１、５２は、各解除部材５１、５２の接触面５３、５４が相互に接触したときに、各解除部材５１、５２の一方の第２板部材５１２、５２２の板面が各解除部材５１、５２の他方の第１板部材５１１、５２１の第３方向Ｘの他端部に接触して、図８に示すように、第１方向Ｚから見て略矩形状となるように配置されている。これにより、第３方向Ｘでかつ各第２板部材５１２、５２２が相互に接近する方向における各第１板部材５１１、５２１の移動を規制しつつ、各解除部材５１、５２の強度を高めている。
【００３２】
図６および図７に示すように、一対の解除部材５１、５２の一方の解除部材５１が、その接触面５３に、第２方向Ｙでかつ一対の解除部材５１、５２の他方の解除部材５２の接触面５４に向かって延びる第１突起部５３１を有し、一対の解除部材５１、５２の他方の解除部材５２が、その接触面５４に、第２方向Ｙでかつ一対の解除部材５１、５２の一方の解除部材５１の接触面５３に向かって延びる第２突起部５４１を有している。さらに、一対の解除部材５１、５２の他方の解除部材５２が、その接触面５４に、一対の解除部材５１、５２の一方の解除部材５１に接触したときに第１突起部５３１を収容可能な第１凹部５４２を有し、一対の解除部材５１、５２の一方の解除部材５１が、その接触面５３に、一対の解除部材５１、５２の他方の解除部材５２に接触したときに第２突起部５４１を収容可能な第２凹部５３２を有している。
【００３３】
各突起部５３１、５４１および各凹部５３２、５４２の各々は、各解除部材５１、５２の第２板部材５１２、５２２の板面に直交する方向（すなわち、第２方向Ｙ）から見て、略矩形状を有している。また、各解除部材５１、５２の各突起部５３１、５４１および各凹部５３２、５４２は、各接触面５３、５４の第１方向Ｚでかつ各接続部材３１、３２の第１部材３１１、３２１から遠い方向の端部に設けられ、第１方向Ｚに隣接して並んで配置されている。
【００３４】
すなわち、各解除部材５１、５２の接触面５３、５４が接触した状態では、図４に示すように、一方の解除部材５１の第１突起部５３１が他方の解除部材５２の第１凹部５４２に収容され、他方の解除部材５２の第２突起部５４１が一対の解除部材５１の第２凹部５３２に収容される。これにより、第１方向Ｚにおける各解除部材５１、５２の移動を規制している。
【００３５】
なお、図４に示すように、各解除部材５１、５２の第１板部材５１１、５２１における各接続部材３１、３２の第１部材３１１、３２１から遠い方向の端部が、第２面１０２の解除孔１４からハウジング１０の外部に露出している。
【００３６】
また、各突起部５３１、５４１は、図４に示すように、第２面１０２に対向しかつ第２方向Ｙ沿いを操作部２０に接近するに従って第１方向Ｚにおいて第２面１０２から離れるように傾斜する第２傾斜面５３３、５４３をそれぞれ有している。この第２傾斜面５３３、５４３により、解除孔１４を介してマイナスドライバなどの長尺の治具１００（図９および図１０参照）を各解除部材５１、５２の接触面５３、５４間に挿入し易くして、治具１００の移動ストロークを拡大している。
【００３７】
図９および図１０に示すように、マイナスドライバなどの長尺の治具１００を接触面３３、３４間に挿入することで、一対の接続部材３１、３２の各々を付勢部４０の付勢力に抗して第２方向Ｙでかつ相互に離れる方向に移動させることができる。これにより、各突出部３１４、３２４が各係止受部２３に配置されることによる操作部２０のハウジング１０に対する第１方向Ｚの係止を解除して、一対の接続部材３１、３２によるハウジング１０と操作部２０との接続を解除することができる。なお、図９および図１０では、操作部２０、一対の接続部材３１、３２および一対の解除部材５１、５２のみを示し、その他の押ボタンスイッチ１の構成は省略している。
【００３８】
前記押ボタンスイッチ１では、ハウジング１０の内部に配置されている操作部２０の第１方向Ｚの端部を第２方向Ｙから係止して、ハウジング１０と操作部２０とを接続する一対の接続部材３１、３２と、一対の接続部材３１、３２の一方を第２方向Ｙでかつ一対の接続部材３１、３２が相互に接近する方向に付勢する付勢部４０と、一対の接続部材３１、３２の各々から第２面１０２に向かってそれぞれ延びかつ一対の接続部材３１、３２を介して付勢部４０により第２方向Ｙでかつ相互に接近する方向に付勢されていると共に、一対の接続部材３１、３２が操作部２０を係止しているときに第２方向Ｙにおいて相互に接触する接触面５３、５４をそれぞれ有し、治具１００を接触面５３、５４間に挿入して、一対の接続部材３１、３２の各々を付勢部４０の付勢力に抗して第２方向Ｙでかつ相互に離れる方向に移動させることで、一対の接続部材３１、３２によるハウジング１０と操作部２０との接続を解除可能な一対の解除部材５１、５２とを備えている。このような構成により、一対の解除部材５１、５２の接触面５３、５４間にマイナスドライバなどの治具１００を挿入するだけで、ハウジング１０と操作部２０との間の接続を解除することができるので、操作部２０をハウジング１０から容易に取り外すことが可能な押ボタンスイッチ１を実現できる。
【００３９】
また、操作部２０が、ハウジング１０の内部に配置された貫通孔２３を有し、一対の接続部材３１、３２の各々が、第２方向Ｙでかつ相互に接近する方向に延びると共に、貫通孔２３を介して操作部２０をハウジング１０に対して第１方向Ｚに係止可能な突出部３１４、３２４をそれぞれ有し、突出部３１４、３２４が、第１面１０１に対向しかつ第２方向Ｙ沿いを操作部２０に接近するに従って第１方向Ｚにおいて第１面１０１から離れるように傾斜する第１傾斜面３１５、３２５を有する。このような構成により、ハウジング１０と操作部２０とを接続するときに、各突出部３１４、３２４を対応する貫通孔２３に配置し易くなるので、操作部２０をハウジング１０に容易に取り付けることが可能な押ボタンスイッチ１を実現できる。
【００４０】
また、ハウジング１０が、操作孔１１まわりに第１方向Ｚに沿って設けられて操作部２０を第１方向Ｚに案内する案内壁部１５を有している。この案内壁部１５により、操作部２０を第１方向Ｚに容易に移動させることができる。
【００４１】
また、付勢部４０が、一対の接続部材３１、３２の各々を第２方向Ｙでかつ一対の接続部材３１、３２が相互に接近する方向にそれぞれ付勢する一対の付勢部材４１、４２で構成され、一対の付勢部材４１、４２が、第２方向Ｙにおいて、一対の接続部材３１、３２を挟むように配置されている。このような構成により、操作部２０をハウジング１０に対してより確実に接続することができる。
【００４２】
また、解除孔１４が、第２面１０２の中央部近傍に配置されている。このような構成により、各接続部材３１、３２によって、操作部２０を第２方向から略均等に係止することができるので、操作部２０をハウジング１０に対してより確実に接続することができる。
【００４３】
また、一対の解除部材５１、５２の各々が、一対の板面が第１方向Ｚおよび第２方向Ｙに交差する第３方向Ｘに沿って配置されていると共に、一対の板面の一方が接触面５３、５４を構成する板状の第１板部材５１１、５２１と、第１板部材５１１、５２１の第３方向Ｘの一端部に設けられ第２方向Ｙに延びる板状の第２板部材５１２、５２２と
を有している。そして、一対の解除部材５１、５２の各々の接触面５３、５４が相互に接触したときに、一対の解除部材５１、５２の一方の第２板部材５１２、５２２の板面が、一対の解除部材５１、５２の他方の第１板部材５１１、５２１の第３方向Ｘの他端部に接触するように配置されて、第３方向Ｘでかつ第２板部材５１２、５２２が相互に接近する方向における第１板部材５１１、５２１の移動を規制する。このような構成により、各解除部材５１、５２ひいては各接続部材３１、３２をハウジング１０に対してより確実に位置決めしつつ、各解除部材５１、５２の強度を高めることができる。
【００４４】
また、一対の解除部材５１、５２の一方の解除部材５１が、その接触面５３に、第２方向Ｙでかつ一対の解除部材５１、５２の他方の解除部材５２の接触面５４に向かって延びる第１突起部５３１を有し、一対の解除部材５１、５２の他方の解除部材５２が、その接触面５４に、第２方向Ｙでかつ一対の解除部材５１、５２の一方の解除部材５１の接触面５３に向かって延びる第２突起部５４１を有している。また、一対の解除部材５１、５２の他方の解除部材５２が、その接触面５４に、一対の解除部材５１、５２の一方の解除部材５１の接触面５３に接触したときに第１突起部５３１を収容可能な第１凹部５４２を有し、一対の解除部材５１、５２の一方の解除部材５１が、その接触面５３に、一対の解除部材５１、５２の他方の解除部材５２の接触面５４に接触したときに第２突起部５４１を収容可能な第２凹部５３２を有している。このような構成により、各解除部材５１、５２ひいては各接続部材３１、３２をハウジング１０に対してより確実に位置決めすることができる。
【００４５】
また、一対の解除部材５１、５２の一方の接触面５３には、第１突起部５３１および第２凹部５３２が第１方向Ｚに沿って配置され、一対の解除部材５１、５２の他方の接触面５４には、第２突起部５４１および第１凹部５４２が第１方向Ｚに沿って配置され、第１突起部５３１および第２突起部５４１の各々が、第２面１０２に対向しかつ第２方向Ｙ沿いを操作部２０に接近するに従って第１方向Ｚにおいて第２面１０２から離れるように傾斜する第２傾斜面５３３、５４３をそれぞれ有している。この第２傾斜面５３３、５４３により、解除孔１４を介してマイナスドライバなどの長尺の治具１００を各解除部材５１、５２の接触面５３、５４間に容易に挿入することができるので、各接続部材３１、３２によって操作部２０をハウジング１０に対して第１方向Ｚに容易に係止することができ、また、各接続部材３１、３２による操作部２０のハウジング１０に対する第１方向Ｚの係止を容易に解除することができる。
【００４６】
なお、付勢部４０は、一対の付勢部材４１、４２で構成されている場合に限らず、各接続部材３１、３２の少なくとも一方を第２方向Ｙでかつ各接続部材３１、３２が相互に接近する方向に付勢する１つの付勢部材で構成してもよい。
【００４７】
係止受部は、貫通孔２３に限らず、例えば、突出部３１４、３２４を収容可能な凹部で構成してもよい。
【００４８】
各突出部３１４、３２４の第１傾斜面３１５、３２５は、いずれか一方のみ設けてもよいし、両方とも省略してもよい。
【００４９】
ハウジング１０の案内壁部１５は、操作孔１１まわり全周に亘って設けられている場合に限らず、例えば、操作孔１１まわりの一部に設けられていてもよいし、省略してもよい。
【００５０】
解除孔１４は、ハウジング１０の第２面１０２の中央部近傍に限らず、第２面１０２の任意の位置に配置することができる。
【００５１】
各接続部材３１、３２および各解除部材５１、５２は、治具１００を各解除部材５１、５２の接触面５３、５４間に挿入して、各接続部材３１、３２を付勢部材４１、４２の付勢力に抗して第２方向Ｙでかつ相互に離れる方向に移動させることで、各接続部材３１、３２によるハウジング１０と操作部２０との接続を解除可能であればよく、前記実施形態の構成に限らない。
【００５２】
例えば、第１突起部５３１および第２凹部５３２と、第２突起部５４１および第１凹部５４２は、いずれか一方のみ設けてもよいし、両方とも省略してもよい。
【００５３】
また、第１突起部５３１および第２突起部５４１の第２傾斜面５３３、５４３は、いずれか一方のみ設けてもよいし、両方とも省略してもよい。
【００５４】
また、各接続部材３１、３２は、第１部材３１１、３２１および第２部材３１２、３２２で構成されている場合に限らず、押ボタンスイッチ１の設計などに応じて、任意の構成を採用することができる。同様に、各解除部材５１、５２は、第１板部材５１１、５２１および第２板部材５１２、５２２で構成されている場合に限らず、押ボタンスイッチ１の設計などに応じて、任意の構成を採用することができる。
【００５５】
以上、図面を参照して本開示における種々の実施形態を詳細に説明したが、最後に、本開示の種々の態様について説明する。なお、以下の説明では、一例として、参照符号も添えて記載する。
【００５６】
本開示の第１態様の押ボタンスイッチ１は、
操作孔１１が設けられた第１面１０１と、前記第１面１０１に交差する第１方向Ｚに沿って前記第１面１０１と並んで配置されている第２面１０２とを有する箱状のハウジング１０と、
前記ハウジング１０の外部から前記操作孔１１を介して前記ハウジング１０の内部まで前記第１方向Ｚに沿って延びて前記ハウジング１０に接続されていると共に、前記第１方向Ｚに沿って移動可能な操作部２０と、
前記ハウジング１０の内部に前記第１方向Ｚに交差する第２方向Ｙに移動可能に設けられ、前記ハウジング１０の内部に配置されている前記操作部２０の前記第１方向Ｚの端部を前記第２方向Ｙから係止して、前記ハウジング１０と前記操作部２０とを接続する一対の接続部材３１、３２と、
前記ハウジング１０の内部に設けられ、前記一対の接続部材３１、３２の少なくとも一方を前記第２方向Ｙでかつ前記一対の接続部材３１、３２が相互に接近する方向に付勢する付勢部４０と、
前記ハウジングの内部に設けられ、前記一対の接続部材３１、３２の各々から前記第２面１０２に向かってそれぞれ延びかつ前記一対の接続部材３１、３２を介して前記付勢部４０により前記第２方向Ｙでかつ相互に接近する方向に付勢されていると共に、前記一対の接続部材３１、３２で前記操作部２０を係止しているときに前記第２方向Ｙにおいて相互に接触する接触面５３、５４をそれぞれ有し、治具１００を前記接触面５３、５４間に挿入して、前記一対の接続部材３１、３２の各々を前記付勢部４０の付勢力に抗して前記第２方向Ｙでかつ相互に離れる方向に移動させることで、前記一対の接続部材３１、３２による前記ハウジング１０と前記操作部２０との接続を解除可能な一対の解除部材５１、５２と
を備え、
前記第２面１０２には、前記治具１００を挿入可能な解除孔１４が設けられ、
前記解除孔１４は、前記一対の解除部材５１、５２の各々のその延在方向における前記第２面１０２に近い方の端部が前記ハウジング１０の外部に露出して、前記治具１００を前記接触面５３、５４間に挿入可能に配置されている。
【００５７】
第１態様の押ボタンスイッチ１によれば、一対の解除部材５１、５２の接触面５３、５４間にマイナスドライバなどの治具１００を挿入するだけで、ハウジング１０と操作部２０との間の接続を解除することができるので、操作部２０をハウジング１０から容易に取り外すことが可能な押ボタンスイッチ１を実現できる。
【００５８】
本開示の第２態様の押ボタンスイッチ１は、
前記操作部２０が、
前記ハウジング１０の内部に配置された係止受部２３を有し、
前記一対の接続部材３１、３２の各々が、
前記第２方向Ｙでかつ相互に接近する方向に延びると共に、前記係止受部２３を介して前記操作部２０を前記ハウジング１０に対して前記第１方向Ｚに係止可能な突出部３１４、３２４をそれぞれ有し、
前記突出部３１４、３２４が、
前記第１面１０１に対向しかつ前記第２方向Ｙ沿いを前記操作部２０に接近するに従って前記第１方向Ｚにおいて前記第１面１０１から離れるように傾斜する第１傾斜面３１５、３２５を有する。
【００５９】
第２態様の押ボタンスイッチ１によれば、ハウジング１０と操作部２０とを接続するときに、各突出部３１４、３２４を対応する係止受部２３に配置し易くなるので、操作部２０をハウジング１０に容易に取り付けることが可能な押ボタンスイッチ１を実現できる。
【００６０】
本開示の第３態様の押ボタンスイッチ１は、
前記ハウジング１０が、前記操作孔１１まわりに前記第１方向Ｚに沿って設けられて前記操作部２０を前記第１方向Ｚに案内する案内壁部１５を有している。
【００６１】
第３態様の押ボタンスイッチ１によれば、案内壁部１５により、操作部２０を第１方向Ｚに容易に移動させることができる。
【００６２】
本開示の第４態様の押ボタンスイッチ１は、
前記付勢部４０が、前記一対の接続部材３１、３２の各々を前記第２方向Ｙでかつ前記一対の接続部材３１、３２が相互に接近する方向にそれぞれ付勢する一対の付勢部材４１、４２で構成され、
前記一対の付勢部材４１、４２が、前記第２方向Ｙにおいて、前記一対の接続部材３１、３２を挟むように配置されている。
【００６３】
第４態様の押ボタンスイッチ１によれば、操作部２０をハウジング１０に対してより確実に接続することができる。
【００６４】
本開示の第５態様の押ボタンスイッチ１は、
前記解除孔１４が、前記第２面１０２の中央部近傍に配置されている。
【００６５】
第５態様の押ボタンスイッチ１によれば、各接続部材３１、３２によって、操作部２０を第２方向から略均等に係止することができるので、操作部２０をハウジング１０に対してより確実に接続することができる。
【００６６】
本開示の第６態様の押ボタンスイッチ１は、
前記一対の解除部材５１、５２の各々が、
一対の板面が前記第１方向Ｚおよび前記第２方向Ｙに交差する第３方向Ｘに沿って配置されていると共に、前記一対の板面の一方が前記接触面５３、５４を構成する板状の第１板部材５１１、５２１と、
前記第１板部材５１１、５２１の前記第３方向Ｘの一端部に設けられ前記第２方向Ｙに延びる板状の第２板部材５１２、５２２と
を有し、
前記一対の解除部材５１、５２の各々の前記接触面５３、５４が相互に接触したときに、前記一対の解除部材５１、５２の一方の前記第２板部材５１２、５２２の板面が、前記一対の解除部材５１、５２の他方の前記第１板部材５１１、５２１の前記第３方向Ｘの他端部に接触するように配置されて、前記第３方向Ｘでかつ前記第２板部材５１２、５２２が相互に接近する方向における前記第１板部材５１１、５２１の移動を規制する。
【００６７】
第６態様の押ボタンスイッチ１によれば、各解除部材５１、５２ひいては各接続部材３１、３２をハウジング１０に対してより確実に位置決めしつつ、各解除部材５１、５２の強度を高めることができる。
【００６８】
本開示の第７態様の押ボタンスイッチ１は、
前記一対の解除部材５１、５２の一方が、前記接触面５３に、前記第２方向Ｙでかつ前記一対の解除部材５１、５２の他方の前記接触面５４に向かって延びる第１突起部５３１を有し、
前記一対の解除部材５１、５２の他方が、前記接触面５４に、前記一対の解除部材５１、５２の一方に接触したときに前記第１突起部５３１を収容可能な第１凹部５４２を有している。
【００６９】
第７態様の押ボタンスイッチ１によれば、各解除部材５１、５２ひいては各接続部材３１、３２をハウジング１０に対してより確実に位置決めすることができる。
【００７０】
本開示の第８態様の押ボタンスイッチ１は、
前記一対の解除部材５１、５２の他方が、前記接触面５４に設けられ、前記第２方向Ｙでかつ前記一対の解除部材５１、５２の一方の前記接触面５３に向かって延びる第２突起部５４１を有し、
前記一対の解除部材５１、５２の一方が、前記接触面５３に設けられ、前記一対の解除部材５１、５２の他方に接触したときに前記第２突起部５４１を収容可能な第２凹部５３２を有する。
【００７１】
第８態様の押ボタンスイッチ１によれば、各解除部材５１、５２ひいては各接続部材３１、３２をハウジング１０に対してより確実に位置決めすることができる。
【００７２】
本開示の第９態様の押ボタンスイッチ１は、
前記一対の解除部材５１、５２の一方の前記接触面５３には、前記第１突起部５３１および前記第２凹部５３２が前記第１方向Ｚに沿って配置され、
前記一対の解除部材５１、５２の他方の前記接触面５４には、前記第２突起部５４１および前記第１凹部５４２が前記第１方向Ｚに沿って配置され、
前記第１突起部５３１および前記第２突起部５４１の各々が、前記第２面１０２に対向しかつ前記第２方向Ｙ沿いを前記操作部２０に接近するに従って前記第１方向Ｚにおいて前記第２面１０２から離れるように傾斜する第２傾斜面５３３、５４３をそれぞれ有している。
【００７３】
第９態様の押ボタンスイッチ１によれば、第２傾斜面５３３、５４３により、解除孔１４を介してマイナスドライバなどの長尺の治具１００を各解除部材５１、５２の接触面５３、５４間に容易に挿入することができるので、各接続部材３１、３２によって操作部２０をハウジング１０に対して第１方向Ｚに容易に係止することができ、また、各接続部材３１、３２による操作部２０のハウジング１０に対する第１方向Ｚの係止を容易に解除することができる。
【００７４】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００７５】
本開示の押ボタンスイッチは、例えば、キーボード、あるいは、産業用操作パネルなどに組み込まれる照光式押ボタンスイッチに適用できる。
【符号の説明】
【００７６】
１  押ボタンスイッチ
１０  ハウジング
１０１  第１面
１０２  第２面
１０３、１０４  壁部
１１  操作孔
１２  第１貫通孔
１３  第２貫通孔
１４  解除孔
１５  案内壁部
２０  操作部
２０１  付勢部材
２１  軸部
２１１、２１２  脚部
２１３  突出部
２２  可動部
２３  貫通孔
３１、３２  接続部材
３１１、３２１  第１部材
３１２、３２２  第２部材
３１３  収容凹部
３１４、３２４  突出部
３１５、３２５  第１傾斜面
３１６  溝部
４０  付勢部
４１、４２  付勢部材
５１、５２  解除部材
５１１、５２１  第１板部材
５１２、５２２  第２板部材
５３、５４  接触面
５３１  第１突起部
５３２  第２凹部
５４１  第２突起部
５４２  第１凹部
５３３、５４３  第２傾斜面
６１  端子電極部
１００  治具
Ｚ  第１方向
Ｙ  第２方向
Ｘ  第３方向
【図１】
2020095826.tif 000003
【図２】
2020095826.tif 000004
【図３】
2020095826.tif 000005
【図４】
2020095826.tif 000006
【図５】
2020095826.tif 000007
【図６】
2020095826.tif 000008
【図７】
2020095826.tif 000009
【図８】
2020095826.tif 000010
【図９】
2020095826.tif 000011
【図１０】
2020095826.tif 000012